(57)【要約】【課題】省電力でかつ操作性のよい静電吸着掲示板を提供する。【解決手段】昇圧回路５から供給した電圧により帯電した吸着面により掲示物を静電吸着する静電吸着掲示板１の吸着面は複数の静電吸着領域２を備え、各静電吸着領域２に対応して設けられたスイッチ６，７により、各静電吸着領域２の帯電／非帯電状態を他の静電吸着領域２とは独立に切り換えることができる。好ましくは、スイッチ６，７は、静電吸着領域２の背面に設けられたプッシュスイッチ３により構成される。【選択図】図２
2009157216.tif 000002
【特許請求の範囲】
【請求項１】
電源部から供給した電圧により帯電した吸着面により掲示物を静電吸着する静電吸着掲示板であって、
前記吸着面が複数の静電吸着領域を含み、
前記複数の静電吸着領域の夫々の帯電／非帯電状態を他の静電吸着領域とは独立に切り換え可能な帯電手段を備えたことを特徴とする静電吸着掲示板。
【請求項２】
請求項１記載の静電吸着掲示板において、
前記帯電手段は、前記複数の静電吸着領域の夫々に対応して設けられたスイッチを備え、各スイッチの状態に応じて、対応する静電吸着領域の帯電／非帯電状態を切り換えることを特徴とする静電吸着掲示板。
【請求項３】
請求項２記載の静電吸着掲示板において、
前記スイッチは対応する前記静電吸着領域の背面に設けられたプッシュスイッチであり、ある静電吸着領域が押圧されるとそれに応じて当該静電吸着領域に対応するスイッチの状態が反転して、当該静電吸着領域の帯電／非帯電状態が切り換わることを特徴とする静電吸着掲示板。
【請求項４】
請求項２記載の静電吸着掲示板において、
前記スイッチとは別に、前記静電吸着領域の背面に設けられたプッシュスイッチを備え、ある静電吸着領域が押圧されるとその背面に設けられたプッシュスイッチが押圧されることにより、当該静電吸着領域に対応する前記スイッチの状態が反転して、当該静電吸着領域の帯電／非帯電状態が切り換わることを特徴とする静電吸着掲示板。
【発明の詳細な説明】
【技術分野】
【０００１】
本発明は、静電気を用いて掲示物を吸着保持する静電吸着掲示板に関する。
【背景技術】
【０００２】
従来、掲示板に紙類等の掲示物を掲示する場合、掲示物の角部などを、画鋲で止めたり、接着剤で接着したりしている。しかしながら、このような掲示方法では、掲示物を取り外す際に、画鋲の穴や接着剤が掲示物や掲示板に残ることがある。
【０００３】
そこで、静電気による吸着力を利用して掲示物を保持するようにした掲示板が提案されている。例えば、特許文献１には、静電気を用いた掲示板として、電源部の電位を駆動部によって掲示板に印加して静電気を帯電させ、掲示物を掲示板表面に静電吸着させる静電吸着掲示板が開示されている。
【特許文献１】特開平７−２１０１０４号公報
【発明の開示】
【発明が解決しようとする課題】
【０００４】
特許文献１記載の静電吸着掲示板では、掲示板全体を帯電させるため、掲示物が掲示されていない不必要な箇所も帯電することになり、電力を無駄に消費してしまう。また、この静電吸着掲示板は、掲示板全体を帯電させるため、静電除去すると全ての掲示物が外れてしまう。したがって、一部の掲示物のみを取り外すには、掲示板全体が帯電した状態で、取り外したい掲示物を無理やり引き剥がさなければならず、操作性が悪い。
【０００５】
本発明は、かかる課題に鑑みてなされたものであり、その目的とするところは、省電力で、かつ操作性のよい静電吸着掲示板を提供することである。
【課題を解決するための手段】
【０００６】
上記の目的を達成するため、本発明は、電源部から供給した電圧により帯電した吸着面により掲示物を静電吸着する静電吸着掲示板であって、前記吸着面が複数の静電吸着領域を含み、前記複数の静電吸着領域の夫々の帯電／非帯電状態を他の静電吸着領域とは独立に切り換え可能な帯電手段を備えたことを特徴とする。
【０００７】
本発明によれば、吸着面が複数の静電吸着領域を備え、前記複数の静電吸着領域の夫々について、他の静電吸着領域とは独立に帯電した状態と帯電しない状態とを切り換え可能であるため、掲示物の吸着が必要な静電吸着領域のみを帯電させることができ、これにより、省電力化を図ることができる。また、複数の掲示物の一部を取り外したい場合、当該一部の掲示物が吸着された静電吸着領域を非帯電状態とすることで、当該一部の掲示物を取り外すことができるので、操作性が向上する。
【０００８】
また、本発明の静電吸着掲示板において、前記帯電手段は、前記複数の静電吸着領域の夫々に対応して設けられたスイッチを備え、各スイッチの状態に応じて、対応する静電吸着領域の帯電／非帯電状態を切り換えることとしてもよい。
【０００９】
この場合、前記スイッチは対応する前記静電吸着領域の背面に設けられたプッシュスイッチであり、ある静電吸着領域が押圧されるとそれに応じて当該静電吸着領域に対応するスイッチの状態が反転して、当該静電吸着領域の帯電／非帯電状態が切り換わることとしてもよい。あるいは、前記スイッチとは別に、前記静電吸着領域の背面に設けられたプッシュスイッチを備え、ある静電吸着領域が押圧されるとその背面に設けられたプッシュスイッチが押圧されることにより、当該静電吸着領域に対応する前記スイッチの状態が反転して、当該静電吸着領域の帯電／非帯電状態が切り換わることとしてもよい。
【００１０】
このようにすれば、掲示物を吸着させる場合、掲示物を吸着させたい静電吸着領域に押し当てれば、プッシュスイッチが押圧されることによりその領域が帯電して、掲示物を吸着させることができ、掲示物を取り外したい場合も、その掲示物を押し付ければ、プッシュスイッチが押圧されることにより、吸着された静電吸着領域が非帯電状態となって取り外すことができるので、操作性が一層向上する。
【発明の効果】
【００１１】
本発明によれば、省電力でかつ操作性のよい静電吸着掲示板を提供できる。
【発明を実施するための最良の形態】
【００１２】
＝＝＝全体構成＝＝＝
以下、図面を参照しつつ本発明の一実施の形態について説明する。  
図１は、本発明の一実施形態である静電吸着掲示板１の吸着面を示す正面図であり、図２は静電吸着掲示板１のブロック構成図であり、図３は、図２に示す昇圧回路の構成図である。
【００１３】
図１に示すように、静電吸着掲示板１の吸着面は、複数の静電吸着領域２により構成されている。また、図２に示すように、各静電吸着領域２には、夫々に対応する昇圧回路５が接続されている。図３に示すように、昇圧回路５は、整流部５１、トランス５２、駆動回路５３を備えている。駆動回路５３には、各昇圧回路５に対応して設けられたスイッチ６を介して、全昇圧回路５に共通の直流電源８が接続されている。また、図２に示すように、各静電吸着領域２と接地９との間にはスイッチ７が設けられている。なお、同じ静電吸着領域２に対応するスイッチ６とスイッチ７はそれらの開閉状態が常に反対となるように互いに連動して開閉するように構成されており、本実施形態では、これらのスイッチ６，７が一体化されたプッシュスイッチ３を用いている。
【００１４】
図４は、静電吸着掲示板１の静電吸着領域２に掲示物１０が吸着された状態の断面構造を拡大して示す。同図に示すように、静電吸着領域２は、電極１１と、電極１１の表面上に設けられた誘電体層１２と、電極１１及び誘電体層１２を支持する絶縁ブロック１３から構成される。電極１１は昇圧回路５に接続されるとともに、スイッチ７および抵抗１５を介して接地９に接続されている。
【００１５】
かかる構成によれば、ある静電吸着領域２について、スイッチ６を閉じ、スイッチ７を開くと、直流電源８から供給される電圧は、駆動回路５３により交流に変換され、トランス５２により昇圧された後、整流部５１で整流され静電吸着領域２の電極１１に印加されることで、当該静電吸着領域２が帯電状態となり、図３に示すように、掲示物１０を静電吸着できるようになる。また、スイッチ６を開き、スイッチ７を閉じると、電極１１の電荷が抵抗１５を通って接地９に流れ、静電吸着領域２は非帯電状態となって、静電吸着された掲示物１０を取り外すことができるようになる。
【００１６】
なお、上記のように、スイッチ６、７は、それらの開閉状態が互いに反対となるように連動する構成のプッシュスイッチ３により構成され、各静電吸着領域２の帯電／非帯電状態は、対応するプッシュスイッチ３を押すたびに切り換わることとなる。
【００１７】
プッシュスイッチ３は、図５に示すように、静電吸着領域２の背面に設けられており、静電吸着領域２を押し込むことにより、当該静電吸着領域２の帯電／非帯電状態を切り換えることができる。したがって、静電吸着掲示板１に掲示物を吸着させたい場合、掲示物を帯電していない何れかの静電吸着領域２に押し付けると、当該静電吸着領域２が押し込まれて帯電状態となることで、掲示物を吸着できるようになる。また、吸着された掲示物を取り外したい場合は、その掲示物を押し込めば、掲示物が吸着されていた静電吸着領域２が非帯電状態となって、掲示物を取り外すことができるようになる。
【００１８】
このように、本実施形態の静電吸着掲示板１によれば、掲示物を静電吸着領域２に押し付けるだけで、掲示板の吸着及び取り外しを行えるので、操作性が極めて良好である。
【００１９】
また、吸着面が複数の静電吸着領域２により構成され、各静電吸着領域２について他の領域とは独立に帯電／非帯電状態を切り換えることができるので、掲示物を吸着する箇所の静電吸着領域だけを帯電させればよく、掲示板全体を帯電させる必要がないため省電力性に優れる。また、吸着された複数の掲示物のうち一部のみを取り外したい場合は、当該一部の掲示物が吸着された静電吸着領域２を非帯電状態とすることで、当該一部の掲示物のみを取り外すことができ、この意味でも操作性が良好である。
【００２０】
なお、上記実施形態では、スイッチ６，７を一体のプッシュスイッチ３で構成するものとしたが、これに限らず、例えば、スイッチ６，７を電磁リレーで構成し、静電吸着領域２の背面に配置したプッシュスイッチ３のオンオフにより、それら電磁リレーを開閉させる構成としてもよい。この場合、プッシュスイッチではなく、タッチパネルや光学スイッチを用いてもよい。
【００２１】
また、上記実施形態では、静電吸着領域２の背面にプッシュスイッチ３を設け、静電吸着領域２を押すことで帯電／非帯電状態を切り換える構成としたが、本発明はこれに限らず、例えば、図６に示すように、各静電吸着領域２に対応したスイッチを備えた静電領域選択ユニット２１を設け、この静電領域選択ユニット２１のスイッチを操作することにより、各静電吸着領域２の帯電／非帯電状態を切り換えることとしてもよい。なお、図６の例では、各静電吸着領域２に番号を表示し、静電領域選択ユニット２１のスイッチにも対応する番号を付与して、静電吸着領域２とスイッチとの対応関係が容易にわかるようにしている。
【００２２】
また、上記実施形態では、図１や図６に示すように、静電吸着領域２が、掲示板の吸着面のほぼ全体を覆うように設けられるものとしたが、これに限らず、静電吸着掲示板の使用形態等に応じて、静電吸着領域２の形状や配置を適宜変更してもよい。
【図面の簡単な説明】
【００２３】
【図１】本発明の一実施形態である静電吸着板を示す正面図である。
【図２】本実施形態の静電吸着掲示板のブロック構成図である。
【図３】本実施形態の静電吸着掲示板が備える昇圧回路の構成図である。
【図４】本実施形態の静電吸着掲示板が備える静電吸着部の構造を示す断面図である。
【図５】本実施形態において、プッシュスイッチの配置を示す斜視図である。
【図６】本発明の他の実施形態である静電吸着掲示板を示す正面図である。
【符号の説明】
【００２４】
１    静電吸着掲示板
２    静電吸着領域
３    プッシュスイッチ
５    昇圧回路
６    スイッチ
７    スイッチ
８    直流電源
９    接地
１０  掲示物
１１  電極
１２  誘電体層
【図１】
2009157216.tif 000003
【図２】
2009157216.tif 000004
【図３】
2009157216.tif 000005
【図４】
2009157216.tif 000006
【図５】
2009157216.tif 000007
【図６】
2009157216.tif 000008